(57)【特許請求の範囲】
【請求項１】
障子と、
前記障子を他部材に回動自在に連結する連結部材と、を有する建具であって、
前記連結部材は、前記障子の前記他部材側の端部が収容される端部収容部を形成して前記障子の回動を案内する案内部と、
前記端部収容部の底をなす底部と、
を有し、
前記底部は、前記端部収容部に収容された前記障子の前記端部の下縁を回動自在に支持する支持部と、前記支持部より窪ませた窪み部と上下方向に貫通する開口との両方またはいずれか一方でなり前記障子の前記端部の前記下縁と接触しない非接触部とを有することを特徴とする建具。
【請求項２】
障子と、
前記障子を他部材に回動自在に連結する連結部材と、を有する建具であって、
前記連結部材は、前記障子の前記他部材側の端部が収容される端部収容部を形成して前記障子の回動を案内する案内部と、
前記端部収容部の底をなす底部と、
を有し、
前記底部は、前記端部収容部に収容された前記障子の前記端部の下縁を回動自在に支持する支持部と、前記障子の前記端部の前記下縁と接触しない非接触部とを有し、
前記障子の前記端部は、前記障子が閉じた状態で前記案内部において前記端部収容部の入口をなす部位に係合され、前記障子が開かれる際の前記回動に伴って前記端部収容部の奥側に進入し、
前記非接触部は、前記端部収容部の前記入口から前記奥側にわたって設けられており、前記入口側には前記支持部より窪ませた窪み部が設けられ、前記奥側には上下方向に貫通する開口が設けられていることを特徴する建具。
【請求項３】
請求項１または請求項２に記載の建具であって、
前記非接触部は、前記障子の回動中心に対し、前記支持部より外周側に位置していることを特徴する建具。
【請求項４】
請求項１乃至請求項３のいずれかに記載の建具であって、
前記他部材は、前記障子と異なり当該障子の隣に並べて配置される他の障子であり、
前記連結部材は、前記障子と前記他の障子との端部間にわたって設けられ、前記障子と前記他の障子との端部が各々収容される端部収容部を形成して前記障子と前記他の障子の前記回動を案内する２つの前記案内部を有していることを特徴とする建具。
【発明の詳細な説明】
【技術分野】
【０００１】
本発明は、障子と、この障子を他部材に回動自在に連結する連結部材とを有する建具に関する。
【背景技術】
【０００２】
障子と、この障子を他部材に回動自在に連結する連結部材とを有する建具としては、例えば、障子及び他部材をいずれも扉とする、左右２枚の扉の互いに近接する縦框に形成された第２のヒンジ構成部と、縦框の全長にわたって設けられた連結部材に形成された第１のヒンジ構成部との組み合わせにより構成されるヒンジを介して、２枚の扉が揺動自在に取り付けられた浴室用の折戸を有する建具が知られている。この建具が有する折戸の第１のヒンジ構成部は、浴室方向に凹みかつ浴室と反対方向に開口するような左右に対をなす空間を形成しており、この空間内に２枚の扉の全長にわたって設けられている円弧状壁と平坦壁とでなる第２のヒンジ構成部が収容され、連結部材の下端開口を覆うエンドキャップの平坦底壁部上に支持されつつ回動して、折戸が揺動するように構成されている（例えば、特許文献１参照）。
【先行技術文献】
【特許文献】
【０００３】
【特許文献１】特開２００１―３１１３４６号公報
【発明の概要】
【発明が解決しようとする課題】
【０００４】
上記のような折戸は、２枚の扉の全長にわたって設けられている第２のヒンジ構成部の円弧状壁と平坦壁とがなす第２のヒンジ構成部が、連結部材の下端開口を覆うエンドキャップの平坦底壁部上に支持されつつ回動しているので、各々の扉（障子）が回動する際に、第２のヒンジ構成部と平坦底壁部との摺動時におけるスティックスリップ現象により異音が発生する場合があるという課題がある。
本発明は、かかる課題に鑑みてなされたものであり、その目的とするところは、障子の開閉時に異音が生じ難い建具を提供することにある。
【課題を解決するための手段】
【０００５】
かかる目的を達成するために本発明の建具は、障子と、前記障子を他部材に回動自在に連結する連結部材と、を有する建具であって、前記連結部材は、前記障子の前記他部材側の端部が収容される端部収容部を形成して前記障子の回動を案内する案内部と、前記端部収容部の底をなす底部と、を有し、前記底部は、前記端部収容部に収容された前記障子の前記端部の下縁を回動自在に支持する支持部と、前記支持部より窪ませた窪み部と上下方向に貫通する開口との両方またはいずれか一方でなり前記障子の前記端部の前記下縁と接触しない非接触部とを有することを特徴とする建具である。
【０００６】
このような建具によれば、障子の他部材側の端部が収容され案内部に案内されて回動する端部収容部の底をなす底部は、端部収容部の底において障子の端部の下縁を支持部により回動自在に支持するとともに、障子の端部の下縁と接触しない非接触部とを有しているので、障子の端部の下縁と底部との接触面積が小さくなる。このため、障子の端部の下縁と底部との間におけるスティックスリップ現象の発生を抑制することが可能である。このため、障子の開閉時に異音が生じ難い建具を提供することが可能である。
【０００７】
また、底部に、支持部より窪ませた窪み部を設けるだけで、障子の端部の下縁と底部との接触面積を小さくできるので、容易に障子の端部の下縁と底部との間におけるスティックスリップ現象の発生を抑制することが可能である。また、端部収容部内に入り込んだ埃及び水等や、障子の端部の下縁と支持部とが摺動することにより削れた屑等を窪み部に収容することが可能である。このため、埃、水、及び、屑等が障子の端部の下縁と支持部との間に介在されて生じるような異音の発生をも抑制することが可能である。
【０００８】
また、底部に、開口を設けるだけで、障子の端部の下縁と底部との接触面積を小さくできるので、容易に障子の端部の下縁と底部との間におけるスティックスリップ現象の発生を抑制することが可能である。また、底部に開口が設けられているので、端部収容部内に入り込んだ埃及び水等や、障子の端部の下縁と支持部とが摺動することにより削れた屑等を開口から外部に排出することが可能である。このため、埃、水、及び、屑等が障子の端部の下縁と支持部との間に介在されて生じるような異音の発生をも抑制することが可能である。
【０００９】
また、障子と、前記障子を他部材に回動自在に連結する連結部材と、を有する建具であって、前記連結部材は、前記障子の前記他部材側の端部が収容される端部収容部を形成して前記障子の回動を案内する案内部と、前記端部収容部の底をなす底部と、を有し、前記底部は、前記端部収容部に収容された前記障子の前記端部の下縁を回動自在に支持する支持部と、前記障子の前記端部の前記下縁と接触しない非接触部とを有し、前記障子の前記端部は、前記障子が閉じた状態で前記案内部において前記端部収容部の入口をなす部位に係合され、前記障子が開かれる際の前記回動に伴って前記端部収容部の奥側に進入し、前記非接触部は、前記端部収容部の前記入口から前記奥側にわたって設けられており、前記入口側には前記支持部より窪ませた窪み部が設けられ、前記奥側には上下方向に貫通する開口が設けられていることを特徴する建具である。
【００１０】
このような建具によれば、障子の他部材側の端部が収容され案内部に案内されて回動する端部収容部の底をなす底部は、端部収容部の底において障子の端部の下縁を支持部により回動自在に支持するとともに、障子の端部の下縁と接触しない非接触部とを有しているので、障子の端部の下縁と底部との接触面積が小さくなる。このため、障子の端部の下縁と底部との間におけるスティックスリップ現象の発生を抑制することが可能である。このため、障子の開閉時に異音が生じ難い建具を提供することが可能である。
【００１１】
また、障子の端部は、障子が閉じて端部収容部の入口をなす部位に係合された状態から、障子が開かれる際の回動に伴って端部収容部の奥側に進入するので、端部収容部内に入り込んだ埃及び水等や、障子の端部の下縁と支持部とが摺動することにより削れた屑等を、障子の回動動作により障子の端部にて、底部の、端部収容部における入口側に設けられた窪み部に移動させたり、奥側に設けられた開口から外部に排出することが可能である。このため、埃、水、及び、屑等が障子の端部の下縁と支持部との間に介在されて生じるような異音の発生をも抑制することが可能である。
【００１２】
かかる建具であって、前記非接触部は、前記障子の回動中心に対し、前記支持部より外周側に位置していることが望ましい。
このような建具によれば、底部は障子の回動中心側に障子を支持する支持部を有し、外周側に非接触部分が配置されているので、障子を安定した状態で回動するように支持しつつ、障子の端部の下縁と底部との間におけるスティックスリップ現象の発生を抑制することが可能である。
【００１３】
かかる建具であって、前記他部材は、前記障子と異なり当該障子の隣に並べて配置される他の障子であり、前記連結部材は、前記障子と前記他の障子との端部間にわたって設けられ、前記障子と前記他の障子との端部が各々収容される端部収容部を形成して前記障子と前記他の障子の前記回動を案内する２つの前記案内部を有していることが望ましい。
【００１４】
このような建具は、隣に並べて配置される障子と他の障子とが、互いの端部同士が連結部材の端部収容部に各々収容され、案内部に案内されて回動自在に連結される、所謂折戸を構成する。このため、折戸を構成する障子と他の障子との端部の下縁と底部との間におけるスティックスリップ現象の発生を抑制し、折戸の開閉時における異音の発生を抑えることが可能である。
【発明の効果】
【００１５】
本発明によれば、障子の開閉時における異音の発生を抑えることが可能である。
【図面の簡単な説明】
【００１６】
【図１】本実施形態に係る建具を脱衣側から見た外観図である。
【図２】本実施形態に係る建具の開閉動作を説明するための図である。
【図３】下側の連結小口キャップにより連結される縦中框を示す斜視図である。
【図４】連結小口キャップを示す斜視図である。
【図５】連結小口キャップを示す平面図である。
【図６】図６（ａ）は、図５におけるＡ−Ａ断面図であり、図６（ｂ）は、図５におけるＢ−Ｂ断面図であり、図６（ｃ）は、図５におけるＣ−Ｃ断面図であり、図６（ｄ）は、図５におけるＤ−Ｄ断面図である。
【発明を実施するための形態】
【００１７】
以下、本発明の一実施形態に係る建具について図面を参照して説明する。
本実施形態においては、図１、図２に示すように、浴室と脱衣室との境界に設けられ、浴室と脱衣室とを仕切る折戸１０を備えた浴室用の建具１を例に挙げて説明する。
【００１８】
以下の説明においては、建物等に取り付けられた状態の浴室用の建具１を脱衣室側から見たときに、上下となる方向を上下方向、左右となる方向を左右方向または見付け方向、室内外方向である奥行き方向を見込み方向として示す。また、浴室用の建具１が備える各部材は、単体として説明する場合であっても、建物等に取り付けられた状態で上下方向、見付け方向、見込み方向等となる方向にて方向を特定して説明する。
【００１９】
本実施形態の建具１は、障子としての扉１１と、扉１１と異なり当該扉１１の隣に並べて配置される他の障子である、他部材としての扉１２と、を回動自在に連結した折戸１０を備えた浴室用の建具１である。
【００２０】
建具１は、枠体３と、枠体３内に装着され隣り合う２枚の扉１１、１２を回動自在に連結して折り畳み自在に連結された２枚の扉１１、１２を有する折戸１０と、を有している。本実施形態では、図１、図２において左側に位置する扉が吊元扉１１をなし、右側に位置する扉が移動扉１２をなしている。
【００２１】
枠体３は、浴室と脱衣室とを連通する開口を形成し、開口の上方に位置する上枠３ａと、開口の下側に位置する下枠３ｂと、開口の見付け方向における両側に配置される左右の縦枠３ｃとが矩形状に枠組みされている。
【００２２】
吊元扉１１及び移動扉１２はそれぞれ、透光性を有する樹脂製やガラス製の面材１３を有している。吊元扉１１は、面材１３を囲むように上框１７及び下框１８の両端部側に吊元框２１と縦中框２０とが配置されて、吊元框２１と縦中框２０側から上框１７、下框１８側に進入するビスにて螺着されて矩形状に框組みされている。また、移動扉１２は面材１３を囲むように上框１７及び下框１８の両端部側に戸先框１９と縦中框２０とが配置されて、戸先框１９と縦中框２０側から上框１７、下框１８側に進入するビスにて螺着されて矩形状に框組みされている。
【００２３】
吊元扉１１と移動扉１２との間には、吊元扉１１の縦中框２０の端部と移動扉１２の縦中框２０の端部とわたって連結部材２５が設けられており、２つの縦中框２０が連結部材２５と係合して吊元扉１１と移動扉１２とが回動するように構成されている。
【００２４】
吊元扉１１の縦中框２０と移動扉１２の縦中框２０とは同一の押出成形部材であり、左右方向を反転させた状態にて配置されている。このため、ここでは吊元扉１１の縦中框２０を例に挙げて説明し、移動扉１２の縦中框２０において吊元扉１１の縦中框２０と同一構成については図中で同符号を付して示し、その説明については省略する。
【００２５】
吊元扉１１の縦中框２０は、上下方向に連通する中空部を有し、水平断面形状がほぼ矩形状をなす縦中框本体２０ａと、折戸１０が展開された状態すなわち開口を閉じている状態において縦中框本体２０ａの脱衣室に臨む面を有する脱衣室側壁部２０ｂから吊元扉１１の外周側に延出された延出壁部２０ｃと、延出壁部２０ｃの先端、すなわち吊元扉１１の端部であり連結部材２５と係合するフック部２０ｄと、縦中框本体２０ａの浴室に臨む面を有する浴室側壁部２０ｅから吊元扉１１の外周側に向かって脱衣室側に湾曲するように延出された湾曲壁部２０ｆと、を有している。フック部２０ｄの先端と湾曲壁部２０ｆの先端とは間隔が隔てられており、フック部２０ｄの先端と湾曲壁部２０ｆの先端との間にて外部と連通され、縦中框本体２０ａとフック部２０ｄ及び湾曲壁部２０ｆにて囲まれた空間２０ｈが形成されている。この空間２０ｈ内には、吊元扉１１と移動扉１２の間に配置される連結部材２５が、吊元扉１１の空間２０ｈから移動扉１２の空間２０ｈにわたって配置されて、吊元扉１１と移動扉１２とが連結されている。
【００２６】
連結部材２５は、吊元扉１１と移動扉１２とほぼ同じ長さを有する押出成形部材でなる連結縦材２６と、吊元扉１１と移動扉１２との回動を案内する案内部２９を有し連結縦材２６の上下端部をほぼ覆うように係止される連結小口キャップ２７と、を有している。
【００２７】
連結縦材２６は、外形の断面形状がほぼ半円形状の円弧をなし、浴室側に湾曲して脱衣室側に凹部を形成する外周壁部２６ａと、外周壁部２６ａが形成する凹部内の中央に、脱衣室側に向かって突出された突出片２６ｂと、外周壁部２６ａの先端から互いに対向する方向に突出されて連結小口キャップ２７を係止する係止片２６ｃと、を有している。対向する２つの係止片２６ｃの先端は、左右方向に間隔が隔てられており、２つの係止片２６ｃの先端の間が外部と連通された外周壁部２６ａの凹部内に、連結小口キャップ２７の後述する底部２８を除く部位が収容されるとともに、突出片２６ｂ及び係止片２６ｃにより外周壁部２６ａに係止される。
【００２８】
上下に設けられる連結小口キャップ２７は、上下が反転された状態で装着される同一の部材なので、ここでは連結縦材２６の下端に係止される下側の連結小口キャップ２７を例に挙げて説明する。
【００２９】
連結小口キャップ２７は、図４に示すように、連結縦材２６の下端に当接され連結縦材の下部をほぼ覆う底部２８と、底部２８から上方に突設されている案内部２９とを有する樹脂製の成形部材である。
【００３０】
案内部２９は、突出片２６ｂを脱衣室側と左右とから囲むように係止される浴室側係止部２９ａと、浴室側係止部２９ａの左右方向における中央から脱衣室側に向かって突出された中央突出部２９ｂと、浴室側係止部２９ａの左右両側にて、それぞれ脱衣室側に延出され、対向する方向に突出された係止片２６ｃの内側に係止される左右の延出部２９ｃと、左右の延出部２９ｃの脱衣室側の端から各々対向する方向に突出されて吊元扉１１と移動扉１２のフック部２０ｄと係合する回動係合片２９ｄと、左右の延出部２９ｃから回動係合片２９ｄと反対方向に突出されて係止片２６ｃと浴室側にて係止する突起２９ｅと、突起２９ｅの浴室側に間隔を隔てて設けられ連結縦材２６の外周壁部２６ａと係合する係合突片２９ｆと、を有している。中央突出部２９ｂの先端は、左右の回動係合片２９ｄの間に位置し、中央突出部２９ｂの先端と左右の回動係合片２９ｄの先端との間は、それぞれ間隔が隔てられてスリット２９ｇが形成されている。
【００３１】
そして、中央突出部２９ｂの左右方向における両側には、中央突出部２９ｂ、浴室側係止部２９ａ、延出部２９ｃ、回動係合片２９ｄにより、スリット２９ｇを入口とする空隙が形成されており、この空隙が、吊元扉１１と移動扉１２の端部としてのフック部２０ｄが収容される端部収容部２９ｈとなる。端部収容部２９ｈは、中央突出部２９ｂの先端から、浴室側係止部２９ａと延出部２９ｃとの境界部分に向かって円弧状に湾曲する曲面をなしており、延出部２９ｃと回動係合片２９ｄとの境界を中心角の頂点とする扇形状をなしている。
【００３２】
底部２８は、連結縦材２６の水平断面の外形形状より僅かに大きく形成されており、図３に示すように、移動扉１２と吊元扉１１とを連結する連結縦材２６に嵌合されて連結縦材２６の小口をほぼ覆うとともに移動扉１２と吊元扉１１を回動自在に支持している。このとき、底部２８が案内部２９の端部収容部２９ｈの底をなしている。
【００３３】
底部２８において端部収容部２９ｈの底をなす扇状の部位には、図５、図６に示すように、扇の中心角の頂点をなす部位、すなわち、左右の延出部２９ｃと回動係合片２９ｄとの境界近傍の角部２８ａ側を扇状に残し、外周側に加工が施されている。具体的には、スリット２９ｇでなる入口側から扇状の円弧に沿うように角部２８ａより窪ませた窪み部としての座繰り部２８ｂが設けられており、座繰り部２８ｂの奥側に上下方向に貫通する開口２８ｃが設けられている。このため、端部収容部２９ｈにフック部２０ｄが収容された吊元扉１１と移動扉１２とは、角部２８ａにて支持されて回動する。すなわち、吊元扉１１と移動扉１２の隣接する端部の下縁を支持する支持部は、座繰り部２８ｂより高く形成されている角部２８ａであり、座繰り部２８ｂ及び開口２８ｃが非接触部に相当する。
【００３４】
吊元扉１１及び移動扉１２と連結部材２５とは、図２に示すように、折戸１０にて枠体３が形成する開口を閉じた状態、すなわち、折戸１０が展開された状態にて、吊元扉１１の縦中框２０と移動扉１２の縦中框２０とが、吊元扉１１と移動扉１２との間隔を維持すべく中央突出部２９ｂを介し、吊元扉１１と移動扉１２とが突き合わされて直線状に並ぶように配置される。すなわち、中央突出部２９ｂは、吊元扉１１と移動扉１２との間隔を維持するスペーサーの機能も有している。
【００３５】
折戸１０を閉じた状態にて、連結部材２５は、中央突出部２９ｂが、左右の回動係合片２９ｄに係合された吊元扉１１のフック部２０ｄ及び移動扉１２のフック部２０ｄの間に位置している。また、左右の回動係合片２９ｄに係合された吊元扉１１のフック部２０ｄ及び移動扉１２のフック部２０ｄの浴室側には空隙が設けられている。ここで、左右の回動係合片２９ｄが、吊元扉１１のフック部２０ｄ及び移動扉１２のフック部２０ｄと係合し端部収容部２９ｈの入口をなす部位に相当する。
【００３６】
そして、折戸１０を畳んで枠体３が形成する開口を開くべく移動扉１２の戸先框１９を左方向、すなわち、吊元框２１側に移動させると、吊元扉１１及び移動扉１２のフック部２０ｄの下縁が角部２８ａに支持されて回動しつつ、連結部材２５により連結された吊元扉１１及び移動扉１２の縦中框２０が浴室側に移動する。このとき、吊元扉１１のフック部２０ｄ及び移動扉１２のフック部２０ｄは、左右の延出部２９ｃと回動係合片２９ｄとの境界近傍の角部２８ａにて支持された部位を回動中心としてフック部２０ｄの先端側が中央突出部２９ｂの側面をなす曲面に沿わされて端部収容部２９ｈの奥側に移動して吊元扉１１及び移動扉１２が回動する。このとき、吊元扉１１及び移動扉１２の端部をなすフック部２０ｄの下縁は、角部２８ａに支持されて、座繰り部２８ｂ及び開口２８ｃとは接触することなく回動する。
【００３７】
そして、折戸１０の吊元扉１１と移動扉１２とがほぼ重なるように２つ折り状態となって、枠体３が形成する開口が開放される際には、吊元扉１１のフック部２０ｄ及び移動扉１２のフック部２０ｄは、先端が端部収容部２９ｈの最も奥側に移動している。このように、折戸１０が開かれる際には、吊元扉１１のフック部２０ｄ及び移動扉１２のフック部２０ｄが端部収容部２９ｈ内を入口となるスリット２９ｇ側から奥側に向かって移動するように構成されている。
【００３８】
本実施形態の建具１によれば、吊元扉１１及び移動扉１２の隣接する端部をなすフック部２０ｄが収容され案内部２９に案内されて回動する端部収容部２９ｈの底をなす底部２８は、吊元扉１１及び移動扉１２のフック部２０ｄの下縁を回動自在に支持する角部２８ａと、吊元扉１１及び移動扉１２のフック部２０ｄの下縁と接触しない座繰り部２８ｂ及び開口２８ｃとを有しているので、吊元扉１１及び移動扉１２のフック部２０ｄの下縁と底部２８との接触面積が小さくなる。このため、吊元扉１１及び移動扉１２のフック部２０ｄの下縁と底部２８との間におけるスティックスリップ現象の発生を抑制することが可能である。このため、折戸１０の開閉時に異音が生じ難い建具１を提供することが可能である。
【００３９】
また、吊元扉１１及び移動扉１２のフック部２０ｄの下縁と角部２８ａとの摺動により削れた樹脂屑や、端部収容部２９ｈに入り込んだ埃等により摩擦抵抗が増加することや、吊元扉１１及び移動扉１２のフック部２０ｄの下縁と角部２８ａとの間に樹脂屑や埃及び水等が入り込むことによる異音の発生を抑制することが可能である。
【００４０】
また、吊元扉１１及び移動扉１２を支持する角部２８ａは、吊元扉１１及び移動扉１２の回動中心側に位置し、座繰り部２８ｂ及び開口２８ｃは角部２８ａの外周側に配置されているので、吊元扉１１及び移動扉１２を安定した状態で回動するように支持しつつ、吊元扉１１及び移動扉１２の端部のフック部２０ｄと底部２８との間におけるスティックスリップ現象の発生を抑制することが可能である。
【００４１】
また、吊元扉１１及び移動扉１２のフック部２０ｄは、折戸１０が展開されて端部収容部２９ｈのスリット２９ｇを形成する回動係合片２９ｄに係合された状態から、折戸１０が畳まれる際の回動に伴って端部収容部２９ｈの奥側に進入するので、端部収容部２９ｈ内に入り込んだ埃及び水等や、吊元扉１１及び移動扉１２のフック部２０ｄの下縁と角部２８ａとが摺動することにより削れた屑等を、吊元扉１１及び移動扉１２の回動動作により吊元扉１１及び移動扉１２のフック部２０ｄにて押し進めるように、底部２８の、端部収容部２９ｈにおけるスリット２９ｇ側に設けられた座繰り部２８ｂに移動させたり、奥側に設けられた開口２８ｃに至らせて開口２８ｃから外部に排出することが可能である。このため、折戸１０の通常の開閉操作において屑や水等を開口２８ｃから押し出すことが可能である。また、埃、水、及び、削れた屑が吊元扉１１及び移動扉１２のフック部２０ｄの下縁と角部２８ａとの間に介在されて生じるような異音の発生をも抑制することが可能である。
【００４２】
上記実施形態においては、非接触部を座繰り部２８ｂ及び開口２８ｃにて形成した例について説明したが、これに限るものではない。たとえば、非接触部を座繰り部のみにて形成しても良い。この場合には、底部２８に、角部２８ａより窪ませた座繰り部を設けるだけで、吊元扉１１及び移動扉１２のフック部２０ｄと底部２８との接触面積を小さくできるので、吊元扉１１及び移動扉１２のフック部２０ｄの下縁と底部２８との間におけるスティックスリップ現象の発生を抑制することが可能である。また、端部収容部２９ｈ内に入り込んだ埃等や、吊元扉１１及び移動扉１２のフック部２０ｄの下縁と角部２８ａとが摺動することにより削れた屑等を座繰り部に収容することが可能である。このため、埃、水、及び、屑が吊元扉１１及び移動扉１２のフック部２０ｄと角部２８ａとの間に介在されて生じるような異音の発生をも抑制することが可能である。
【００４３】
また、非接触部を開口のみにて形成しても良い。この場合には、底部２８に、開口を設けるだけで、吊元扉１１及び移動扉１２のフック部２０ｄの下縁と底部２８との接触面積を小さくできるので、容易に吊元扉１１及び移動扉１２のフック部２０ｄの下縁と底部２８との間におけるスティックスリップ現象の発生を抑制することが可能である。また、底部２８に開口が設けられているので、端部収容部２９ｈ内に入り込んだ埃及び水等や、吊元扉１１及び移動扉１２のフック部２０ｄの下縁と角部２８ａとが摺動することにより削れた屑等を開口から外部に排出することが可能である。このため、埃、水、及び、屑が障子の端部の下縁と支持部との間に介在されて生じるような異音の発生をも抑制することが可能である。
【００４４】
上記実施形態においては、端部収容部２９ｈ内において吊元扉１１及び移動扉１２のフック部２０ｄの下縁と角部２８ａとの接触面積を小さくするために、底部２８に座繰り部２８ｂや開口２８ｃを設けた例について説明したが、吊元扉１１及び移動扉１２のフック部２０ｄの下縁を一部切り欠いて底部２８との接触面積を小さくしても良い。
また、上記実施形態においては、折戸１０が２枚の扉を有する例について説明したが、扉の数はこれに限るものではない。
【００４５】
また、本実施形態においては、障子と他部材とをいずれも扉１１、１２とする折戸１０を例に挙げて説明したが、これに限るものではない。例えば、他部材を障子としての扉が回動自在に設けられる開口を形成する枠とし、枠と扉とが連結部材にて連結されていても良い。このとき、回動する扉は１枚なので、連結部材は端部収容部を少なくとも１つ備えていれば構わない。
【００４６】
また、上記実施形態においては、連結部材２５が備える上下の連結小口キャップ２７を同一の部材としたが、上側の連結小口キャップ２７は、必ずしも座繰り部及び開口が設けられていなくとも構わない。
【００４７】
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４８】
１  建具、１０  折戸、１１  吊元扉、１２  移動扉、２０  縦中框、
２０ｄ  フック部、２５  連結部材、２６  連結縦材、２７  連結小口キャップ、
２８  底部、２８ａ  角部、２８ｂ  座繰り部、２８ｃ  開口、２９  案内部、
２９ｄ  回動係合片、２９ｇ  スリット、２９ｈ  端部収容部
【図１】
0005912803.tif 000002
【図２】
0005912803.tif 000003
【図３】
0005912803.tif 000004
【図４】
0005912803.tif 000005
【図５】
0005912803.tif 000006
【図６】
0005912803.tif 000007